(57)【要約】【課題】電線の径寸法によらず余長のバンド部を発生させないようにし、バンド部の保持力低下を防ぐ。【解決手段】本発明は、バンド部３０と、ボディパネルＰに固定されるとともに、取付孔Ｐ１に挿入される軸部２１を有し、かつ、一対のバンド挿入孔Ｈ，Ｈが軸部２１における軸方向に貫通して設けられてなるアンカー部２０とを備え、両バンド挿入孔Ｈ，Ｈの間には、電線Ｗ１に巻き付けられたバンド部３０の両端部３０Ａ，３０Ｂをそれぞれ抜止状態に保持する一対のロック片２６，２６が設けられており、バンド部３０は、電線Ｗ１と接触する側の面に係止突起３２を有している一方、ロック片２６は撓み可能であって、バンド部３０の両端部３０Ａ，３０Ｂの両係止突起３２に係止可能な一対の被係止突起２７，２７を有しており、これらの被係止部２７，２７は、互いに反対方向を向いて突出し、バンド挿入孔Ｈ内に配置されている構成とした。【選択図】図１
2012222987.tif 000002
【特許請求の範囲】
【請求項１】
電線に巻き付けられるバンド部と、
基材に固定されるとともに、この基材に設けられた取付孔に挿入される軸部を有し、かつ、前記バンド部の両端部がそれぞれ挿入される一対のバンド挿入孔が前記軸部における軸方向に貫通して設けられてなるアンカー部とを備え、
両バンド挿入孔の間には、前記電線に巻き付けられた前記バンド部の両端部をそれぞれ抜止状態に保持する一対のロック片が設けられており、
前記バンド部は、前記電線と接触する側の面に係止部を有している一方、
両ロック片は撓み可能であって、前記バンド部の両端部の両係止部に係止可能な一対の被係止部を有しており、これらの被係止部は、互いに反対方向を向いて突出し、前記バンド挿入孔内に配置されていることを特徴とする電線保持部材。
【請求項２】
前記両ロック片の間には、前記両バンド挿入孔を仕切る仕切壁が設けられており、前記ロック片は、前記仕切壁に設けられていることを特徴とする請求項１に記載の電線保持部材。
【請求項３】
前記バンド挿入孔の両端開口のうち前記電線側の開口縁部には、前記バンド部のうち前記電線の外面に沿う部分と前記バンド挿入孔に挿入された部分との角部に当接する当接部が設けられていることを特徴とする請求項１または請求項２に記載の電線保持部材。
【請求項４】
前記ロック片は、前記両バンド挿入孔の間における前記電線に近い側から遠い側に向けて片持ち状に突出する形態をなしていることを特徴とする請求項１ないし請求項３のいずれか一項に記載の電線保持部材。
【請求項５】
前記バンド部は、前記軸部の内部における前記仕切壁と対向する対向壁と前記ロック片との間に挟持されており、前記軸部の対向壁は、前記取付孔の内部に配置されていることを特徴とする請求項１ないし請求項４のいずれか一項に記載の電線保持部材。
【請求項６】
前記アンカー部は、前記軸部の先端から片持ち状に延出されその延出端部に前記取付孔の孔縁部に当接可能な係止段部が設けられてなる脚部を備えて構成され、前記係止段部は段差形状とされていることを特徴とする請求項１ないし請求項５のいずれか一項に記載の電線保持部材。
【請求項７】
請求項２ないし請求項６のいずれか一項に記載の電線保持部材が、前記基材に取り付けられてなる電線保持部材の取付構造であって、
前記バンド部は、前記軸部の内部における前記仕切壁と対向する対向壁と前記ロック片との間に挟持されており、前記基材における前記取付孔の孔縁部に、前記軸部の対向壁を受ける受け壁が立設されていることを特徴とする電線保持部材の取付構造。
【発明の詳細な説明】
【技術分野】
【０００１】
本発明は、電線保持部材および電線保持部材の取付構造に関する。
【背景技術】
【０００２】
従来、電線を基材に固定する電線保持部材として、例えば下記特許文献１に記載のものが知られている。このものは、例えば車両のボディパネルに開口された取付孔に取り付けられるアンカー部と、電線に巻き付けられるバンド部と、このバンド部が電線に巻き付けられた状態に保持するバンドロック部とを一体に備えている。バンド部の長さは、大径の電線に対応できる程度の長さとされており、バンド部を小径の電線に巻き付けた場合には、バンドロック部から余長のバンド部が延びた状態となるため、この余長部分をニッパなどで切断する必要がある。
【０００３】
また、電線に巻き付けられたバンド部の両端部を固定するバンドロック部を備えた電線保護部材として、例えば下記特許文献２または３に記載のものが知られている。このうち特許文献２のバンドロック部は、バンド部の両端部が互いに接触した状態で一括して挿入されるバンド挿入孔を有している。一方、特許文献３のバンドロック部は、バンド部の両端部がそれぞれ圧入状態で挿入される一対のバンド挿入孔を有し、両バンド挿入孔を仕切る仕切壁には、係止爪が設けられている。一方、バンド部における電線と接触する側の面には、係止爪に係止可能な係止溝が設けられている。
【０００４】
特許文献２のバンドロック部では、電線が振られた場合に、バンド部の両端部が互いに押し合って係止爪と係止溝の係止部分に悪影響を与えるおそれがある。これに対して特許文献３のバンドロック部では、バンド部の両端部が仕切壁で仕切られているため、電線が振られた場合であっても、バンドの両端部が互いに押し合って係止爪と係止溝の係止部分に悪影響を与えることを規制できる。また、バンド部がバンド挿入孔の開口付近で急激に曲げられることで発生したバンド部の反力をバンド挿入孔の開口縁部で受けることができるため、係止爪と係止溝の係止部分に悪影響を与えることを規制できる。
【先行技術文献】
【特許文献】
【０００５】
【特許文献１】特開２００１−３１１４０９号公報
【特許文献２】特開２００６−２２０２０７号公報
【特許文献３】特開２００９−２１３２３２号公報
【発明の概要】
【発明が解決しようとする課題】
【０００６】
しかしながら、特許文献１および３のものでは、いずれも余長のバンド部が無駄になるため、材料のロス分が多くなる。また、特許文献３のものでは、バンド部の両端部が圧入状態でバンド挿入孔に挿入されるため、バンド挿入孔の内壁とバンド部の両端部との間にある程度のクリアランスを設定しておく必要がある。この結果、係止爪と係止溝の係り代は、前記クリアランスの分だけ小さくなり、バンドロック部によってバンド部の両端部を保持する保持力が低下してしまう。さらに、特許文献３のものでは、バンドロック部に一対のバンド挿入孔を形成したことに伴ってバンドロック部の強度が低下し、変形しやすくなっている。ここで、電線が強く引っ張られるなどしてバンド部の両端部が電線側に引っ張られた場合に、このバンド部と係止状態にある係止爪が捻れるなどしてバンドロック部が変形することで、やはりバンド部の保持力が低下するおそれがある。
【０００７】
また、特許文献２のものでは、バンド部の係止溝が外周側を向いた状態で電線に巻き付ける構成であるため、バンド部の係止溝が内周側を向いた状態で電線に巻き付ける場合よりも剛性が高くなり、巻き付けにくくなる。したがって、バンド部がバンド挿入孔の開口付近で急激に曲げられることで発生したバンド部の反力が極めて大きくなり、係止部から係止溝が離れる方向に力が働きやすくなり、やはりバンド部の保持力が低下するおそれがある。
【０００８】
本発明は上記のような事情に基づいて完成されたものであって、電線の径寸法によらず余長のバンド部を発生させないようにし、バンド部の保持力低下を防ぐことを目的とする。
【課題を解決するための手段】
【０００９】
本発明は、電線に巻き付けられるバンド部と、基材に固定されるとともに、この基材に設けられた取付孔に挿入される軸部を有し、かつ、バンド部の両端部がそれぞれ挿入される一対のバンド挿入孔が軸部における軸方向に貫通して設けられてなるアンカー部とを備え、両バンド挿入孔の間には、電線に巻き付けられたバンド部の両端部をそれぞれ抜止状態に保持する一対のロック片が設けられており、バンド部は、電線と接触する側の面に係止部を有している一方、両ロック片は撓み可能であって、バンド部の両端部の両係止部に係止可能な一対の被係止部を有しており、これらの被係止部は、互いに反対方向を向いて突出し、バンド挿入孔内に配置されている構成としたところに特徴を有する。
【００１０】
このような構成によると、バンド部とアンカー部を別体で構成しているから、電線の径寸法に応じて必要なバンド部を予め用意しておき、このバンド部を電線に巻き付けた上で、バンド部の両端部をバンド挿入孔で固定することができる。したがって、余長のバンド部を発生させないようにすることができる。さらに、両バンド挿入孔の間にロック片を設けたから、別体のバンドロック部をなくすことができ、電線保持部材を２ピースで構成し、アンカー部の軸部内でバンド部の両端部を固定することができる。
【００１１】
また、ロック片が撓み可能に設けられているから、バンド部の端部をバンド挿入孔に挿入する際に、圧入する必要がなく、ロック片とこれに対向する軸部の対向壁との間でクリアランスを生じさせることなくバンド部の端部を挟持することができる。すなわち、クリアランスが生じないため、係止部と被係止部の係り代が小さくなることはない。したがって、バンド部の保持力低下を防ぐことができる。
【００１２】
また、軸部の内部に一対のバンド挿入孔を形成した場合、軸部の強度が低下して軸部が変形しやすくなる。例えば、電線が強く引っ張られるなどしてバンド部の両端部が電線側に引っ張られた場合に、このバンド部と係止状態にあるロック片が開き方向（仕切壁から対向壁へ向かう方向）に変形しようとし、これに伴って軸部も変形しようとする。その点、上記の構成によると、軸部が取付孔に配置されているため、取付孔の内面によって軸部の変形が規制され、ロック片の開き変形が規制される。したがって、係止部と被係止部の係り代が小さくなることはなく、軸部の変形に伴うバンド部の保持力低下を防ぐことができる。
【００１３】
本発明の実施の態様として、以下の構成が好ましい。
両ロック片の間には、両バンド挿入孔を仕切る仕切壁が設けられており、ロック片は、仕切壁に設けられている構成としてもよい。
このような構成によると、両バンド挿入孔が仕切壁によって仕切られているため、バンド部の両端部が互いに当たり合うことを規制できる。したがって、バンド部の両端部のいずれか一方あるいは両方で係止部と被係止部の係り代が小さくなることはない。
【００１４】
バンド挿入孔の両端開口のうち電線側の開口縁部には、バンド部のうち電線の外面に沿う部分とバンド挿入孔に挿入された部分との角部に当接する当接部が設けられている構成としてもよい。
【００１５】
このような構成によると、例えば大径の電線を用いるなどして、バンド部がバンド挿入孔の開口付近で電線によって急激に曲げられた場合であっても、バンド部のうち電線の外面に沿う部分とバンド挿入孔に挿入された部分との角部を当接部に接触させることにより、電線によって曲げられることで発生したバンド部の反力を当接部で受けることができる。このため、バンド部の反力が係止部と被係止部の係止部分に直接作用することを回避できる。したがって、バンド部の保持力を安定させることができる。
【００１６】
ロック片は、仕切壁における電線に近い側から遠い側に向けて片持ち状に突出する形態をなしている構成としてもよい。
このような構成によると、バンド挿入孔の両端開口のうち電線に近い側の開口からバンド部の端部を挿入することに伴ってロック片が撓み変形するため、バンド部を挿入しやすくなる。
【００１７】
バンド部は、軸部の内部における仕切壁と対向する対向壁とロック片との間に挟持されており、軸部の対向壁は、取付孔の内部に配置されている構成としてもよい。
このような構成によると、軸部の対向壁が取付孔の内部に配置されているため、取付孔の内面によって軸部の変形が規制され、ロック片の開き変形が規制される。したがって、係止部と被係止部の係り代が小さくなることはなく、軸部の変形に伴うバンド部の保持力低下を確実に防ぐことができる。
【００１８】
アンカー部は、軸部の先端から片持ち状に延出されその延出端部に取付孔の孔縁部に当接可能な係止段部が設けられてなる脚部を備えて構成され、係止段部は段差形状とされている構成としてもよい。
このような構成によると、取付孔の孔縁部に当接させる複数の段差を係止段部に設けることができる。したがって、基材の板厚に合わせて、取付孔の孔縁部に当接させるのに適切な段差を選択することができるため、脚部の付け根に応力が集中することを回避できる。
【００１９】
また、本発明は、上記の電線保持部材が、基材に取り付けられてなる電線保持部材の取付構造であって、バンド部は、軸部の内部における仕切壁と対向する対向壁とロック片との間に挟持されており、基材における取付孔の孔縁部に、軸部の対向壁を受ける受け壁が立設されている構成としたところに特徴を有する。
このような構成によると、軸部の対向壁が受け壁によって受けられているため、軸部の変形が規制され、ロック片の開き変形が規制される。したがって、係止部と被係止部の係り代が小さくなることはなく、軸部の変形に伴うバンド部の保持力低下を確実に防ぐことができる。
【発明の効果】
【００２０】
本発明によれば、電線の径寸法によらず余長のバンド部を発生させないようにし、バンド部の保持力低下を防ぐことができる。
【図面の簡単な説明】
【００２１】
【図１】実施形態１において大径の電線を保持した状態を示す電線保持部材
【図２】小径の電線を保持した状態を示す電線保持部材
【図３】アンカー部の正面図
【図４】アンカー部の側面図
【図５】アンカー部の底面図
【図６】アンカー部の平面図
【図７】図３におけるＡ−Ａ線断面図
【図８】実施形態２において大径の電線を保持した状態を示す電線保持部材
【図９】実施形態３において大径の電線を保持した状態を示す電線保持部材の取付構造
【発明を実施するための形態】
【００２２】
＜実施形態１＞
本発明の実施形態１を図１ないし図７の図面を参照しながら説明する。本実施形態における電線保持部材１０は、図１に示すように、車両のボディパネル（本発明の「基材」の一例）Ｐに開口された取付孔Ｐ１に取り付けられるアンカー部２０と、電線Ｗ１に巻き付けられるバンド部３０とを備えて構成されている。なお、図２は、図１の電線Ｗ１よりも小径の電線Ｗ２をボディパネルＰに保持した場合を例示しているものの、本実施形態の電線保持部材１０で保持できる電線の径寸法は、図１および図２に例示したものに限定されない。
【００２３】
アンカー部２０は合成樹脂製で、図３に示すように、取付孔Ｐ１に挿入される軸部２１と、軸部２１の上端における左右両側縁から下方に延びる一対の脚部２２，２２と、軸部２１の下端における左右両側縁から側方に向けてやや上方に延びる一対の付勢片２３，２３とを備えて構成されている。脚部２２は、軸部２１の上端から後方に向けて片持ち状に延びる形態をなし、その上端部を基端としてその下端部（延出端部）が軸部２１に対して接近する方向に撓み可能に設けられている。このため、軸部２１を取付孔Ｐ１に挿入すると、両脚部２２，２２が取付孔Ｐ１の孔壁に摺接しながら軸部２１側に撓み変形する。
【００２４】
脚部２２の下端部には、上下二段の係止段部２２Ａ，２２Ｂが設けられている。脚部２２の下端部は、下側係止段部２２Ｂが上側係止段部２２Ａよりも下方に位置するとともに上側係止段部２２Ａよりも軸部２１に近い側に位置することで、全体として階段状に形成されている。このように上下二段の係止段部２２Ａ，２２Ｂを設定した理由は、下側の係止段部２２Ｂで板厚の大きいボディパネルに固定しようとした場合に、脚部２２が上方に押し上げられるように作用する結果、脚部２２の付け根から軸部２１の上端部に亘って応力が集中することを回避するためである。したがって、板厚の大きいボディパネルにアンカー部２０を固定する場合には、上側の係止段部２２Ａを使用することにより、脚部２２の付け根から軸部２１の上端部に至る領域にかかる応力を緩和することができる。
【００２５】
ボディパネルの板厚が、上側係止段部２２Ａと付勢片２３の上端との間における上下方向の間隔よりも大きい場合には、付勢片２３が下方に撓み変形しつつ、取付孔Ｐ１の孔縁部を上側係止段部２２Ａに対して下方から当接させることで板厚が大きくなった分を吸収できる。一方、ボディパネルの板厚が、上側係止段部２２Ａと付勢片２３の上端との間における上下方向の間隔よりも小さい場合には、付勢片２３を下方に撓ませつつ取付孔Ｐ１の孔縁部を下側係止段部２２Ｂに対して下方から当接させることで板厚が小さくなった分を吸収できる。このように、板厚違いのボディパネルに対応して上下二段の係止段部２２Ａ，２２Ｂを適宜選択することにより、アンカー部２０を様々の板厚のボディパネルに取り付けることができるようになっている。さらに、脚部２２の基端側で軸部２１にかかる力を軽減し、軸部２１の変形を規制できるようになっている。
【００２６】
軸部２１の下部には、図示４つの回り止め部２１Ａが設けられている。各回り止め部２１Ａは、図６に示すように、軸部２１の軸心に関して対称に配置されている。具体的には、取付孔Ｐ１は左右方向に長い長円形とされており、各回り止め部２１Ａが軸部２１の４つの角部の側面から側方に張り出す形態で設けられている。各回り止め部２１Ａは、軸部２１が回転しようとした際に、取付孔Ｐ１の内面に当接することで、軸部２１の回転を規制するようになっている。また、軸部２１が取付孔Ｐ１に嵌合する際には、アンカー部２０の両側の脚部２２の側面によって回り止め部２１Ａの倒れ込みが防止される。さらに、図示４つの回り止め部２１Ａの設定によってアンカー部２０が取付孔Ｐ１の中心に配置され、脚部２２と取付孔Ｐ１の係止代がアンカー部２０の両側でほぼ同じとなるようにアンカー部２０の姿勢を制御することにより、アンカー部２０の保持力を安定化させることができる。
【００２７】
バンド部３０は合成樹脂製で、図１に示すように、長尺の帯状とされている。バンド部３０における電線Ｗ１，Ｗ２に接触する側の面には、係止溝３１が凹設されている。係止溝３１には、複数の係止突起３２がバンド部３０の全長に亘って連設されている。本実施形態のバンド部３０は、長尺のバンド部がボビン（図示せず）に巻き取られた状態から、必要な長さ分だけを引き出して切り取ることによって形成されている。このようにすると、電線Ｗ１，Ｗ２の径寸法に合わせて必要な長さのバンド部３０だけを使用することができ、余長のバンド部３０が発生することを規制できる。
【００２８】
軸部２１の内部には、図７に示すように、一対のバンド挿入孔Ｈ，Ｈが軸部２１の軸方向に貫通して形成されている。両バンド挿入孔Ｈ，Ｈの両端開口は、図５および図６に示すように、長方形状とされている。一方、軸部２１の側面は、図１０に示すように、軸部２１の軸方向に長い長方形状とされている。
【００２９】
軸部２１の内部には、両バンド挿入孔Ｈ，Ｈを仕切る仕切壁２４が設けられている。この仕切壁２４は、図６に示すように、軸部２１の中央に配置されている。両バンド挿入孔Ｈ，Ｈは、仕切壁２４を中心として対称に配置されている。図７に示すように、仕切壁２４のうち天井面側の端部２４Ａは、底面側の端部２４Ｂよりも厚肉に形成されており、この厚肉部分には、成形時にヒケなどが発生することを防止すべく、肉抜き孔２４Ｃが設けられている。
【００３０】
バンド挿入孔Ｈの両端開口のうち底面側の端部２４Ｂ側の開口縁部には、当接部２５が周設されている。当接部２５は、すり鉢状をなしており、バンド挿入孔Ｈの外部に向かうほど開口が広がるように形成されている。当接部２５は、図１に示すように、バンド部３０のうち電線Ｗ１の外周面に沿って曲げられた曲線部分とバンド挿入孔Ｈに挿入された直線部分との角部３３に内側から当接するようになっている。
【００３１】
仕切壁２４の両側には、一対のロック片２６，２６が設けられている。各ロック片２６，２６は、各バンド挿入孔Ｈ，Ｈに収容されている。また、各ロック片２６，２６は、肉抜き孔２４Ｃの奥端部から天井面側の端部２４Ａ側に向けて片持ち状に突出する形態をなしている。ロック片２６の先端側には、一対の被係止突起２７，２７がロック片２６と対向する対向壁２１Ｂ側（バンド挿入孔Ｈ側）に突出して設けられている。両被係止突起２７，２７は互いに反対方向を向いて突出し、バンド挿入孔Ｈ内に配置されている。
【００３２】
バンド部３０は、バンド挿入孔Ｈに対して所定の嵌合状態を実現できるように構成されており、その具体的な構成を以下に述べる。両被係止突起２７，２７のピッチは、バンド部３０において隣り合う両係止突起３２，３２のピッチと近似している。また、被係止突起２７の突出高さは、係止突起３２の突出高さと近似している。さらに、ロック片２６と対向壁２１Ｂとの間隔は、ロック片２６の板厚と近似している。これにより、バンド部３０がバンド挿入孔Ｈに挿入されると、係止溝３１の両側壁間にロック片２６が嵌り込んで、バンド部３０がロック片２６と対向壁２１Ｂとの間に挟持されるとともに、両係止突起３２，３２が両被係止突起２７，２７に対して全突出高さで接触して複数箇所（図示する場合は二箇所）で係止することにより、バンド部３０が抜止状態に保持される。
【００３３】
バンド部３０の角部３３で発生する樹脂の反力は、当接部２５で受けられており、ロック片２６に直接作用しないようになっている。ここで、底面側の端部２４Ｂに肉抜き孔２４Ｃが形成されているため、両当接部２５，２５で受けた応力を緩和させることができる。このため、バンド部３０のうちバンド挿入孔Ｈに挿入された部分は、直線形状に保持される。したがって、両係止突起３２，３２と両被係止突起２７，２７の係り代が小さくなるなどの不具合は発生しない。また、バンド部３０の両端部３０Ａ，３０Ｂは、仕切壁２４によって仕切られており、これによっても両端部３０Ａ，３０Ｂが当たり合うなどして両係止突起３２，３２と両被係止突起２７，２７の係り代が小さくなるなどの不具合が発生しないようになっている。さらに、バンド部３０のうちバンド挿入孔Ｈに挿入された部分は、角部３３で発生する樹脂の反力によってロック片２６側に密着するため、両係止突起３２，３２と両被係止突起２７，２７の係り代が小さくなることはない。
【００３４】
また、バンド部３０の両角部３３，３３は、仕切壁２４を介して離間して配置されているため、図１に示すように、大径の電線Ｗ１とアンカー部２０との間に形成される隙間Ｓを小さくすることができる。したがって、大径の電線Ｗ１を保持する場合であっても、隙間Ｓが小さくなることで安定して電線Ｗ１を保持することができる。また、隙間Ｓが小さくなることでアンカー部２０と電線Ｗ１をより近づけて配置することができ、電線保持部材１０を低背化することができる。また、小径の電線Ｗ２を保持する場合には、隙間Ｓがほとんど発生しないため、電線Ｗ２の両バンド挿入孔Ｈ，Ｈへのかみ込みが懸念されるものの、仕切壁２４の底面側の端部２４Ｂによって電線Ｗ２のかみ込みが軽減されることになる。
【００３５】
また、本実施形態では軸部２１の内部にバンド挿入孔Ｈを形成したことに起因して軸部２１の強度が低下しており、電線Ｗ１が強く引っ張られるなどしてバンド部３０の両端部３０Ａ，３０Ｂが電線Ｗ１側に引っ張られると、両ロック片２６が互いに離れる方向に開き変形し、この開き変形に伴って軸部２１が例えば平行四辺形の断面形状となって倒れるように変形することが考えられる。しかしながら、軸部２１は、取付孔Ｐ１に嵌合しており、取付孔Ｐ１の内面によって軸部２１の変形が規制されている。したがって、軸部２１の変形に伴う係止突起３２と被係止突起２７の係り代の低下を防ぎ、両ロック片２６，２６によるバンド部３０の保持力低下を防ぐことができる。
【００３６】
本実施形態は以上のような構成であって、続いて電線保持部材１０の組付方法を説明する。以下においては大径の電線Ｗ１を保持する場合を代表として説明するものとする。まず、ボビンに巻かれた状態で連続するタイプのバンド部から、電線Ｗ１の径寸法に応じて必要な長さのバンド部３０を引き出して切断する。次に、両ロック片２６，２６の一方を治具などを用いて撓ませた状態にしておき、ロック片２６の先端側からバンド部３０の始端側の端部３０Ａを一方のバンド挿入孔Ｈに挿入していく。バンド部３０の終端側の端部３０Ｂが一方のバンド挿入孔Ｈに収容されたら、治具を解除してロック片２６を復帰させ、バンド部３０の終端側の端部３０Ｂにおいて両係止突起３２，３２と両被係止突起２７，２７を係止させる。
【００３７】
次に、バンド部３０を電線Ｗ１に巻き付ける。このとき、バンド部３０の係止溝３１側を内側にして巻き付けるため、バンド部３０を巻き付ける際の反力が小さくて済む。そして、バンド部３０の始端側の端部３０Ａを他方のバンド挿入孔Ｈに対して底面側の端部２４Ｂ側から挿入していく。すると、ロック片２６が仕切壁２４側に撓み変形することでバンド部３０の始端側の端部３０Ａが他方のバンド挿入孔Ｈに挿入される。バンド部３０による電線Ｗ１の締め付け力が規定値に達したところで、バンド部３０による電線Ｗ１の締め付けを停止する。これにより、バンド部３０の始端側の端部３０Ａにおいても両係止突起３２，３２と両被係止突起２７，２７を係止させる。こうして、アンカー部２０の軸部２１によってバンド部３０の両端部３０Ａ，３０Ｂをそれぞれ抜止状態に保持することで、電線保持部材１０の組付作業が完了する。最後に、アンカー部２０の軸部２１をボディパネルＰの取付孔Ｐ１に挿入し、アンカー部２０をボディパネルＰに対して取り付け固定する。
【００３８】
以上のように本実施形態によると、余長のバンド部３０をなくして材料ロスを減らすことができる。また、軸部２１の両バンド挿入孔Ｈ，Ｈを仕切壁２４によって仕切ったから、バンド部３０の両端部３０Ａ，３０Ｂが互いに当たり合うことを規制できる。また、バンド挿入孔Ｈの開口縁部に当接部２５を設けてバンド部３０の反力を受けるようにしたから、バンド部３０の反力が直接ロック片２６に作用することを規制できる。
【００３９】
また、各回り止め部２１Ａによって軸部２１の取付孔Ｐ１に対する回り止めを行いつつ、取付孔Ｐ１の内面によって軸部２１の変形を規制しているから、両ロック片２６，２６の開き変形を規制することができる。この結果、バンド部３０がロック片２６と軸部２１の対向壁２１Ｂとの間で挟持された状態に維持され、係止突起３２と被係止突起２７の係り代の低下を規制できる。したがって、電線Ｗ１，Ｗ２が強く引っ張られるなどしても、バンド部３０とロック片２６の保持力が低下することはない。
【００４０】
また、バンド挿入孔Ｈにおける仕切壁２４側にロック片２６を設けたから、角部３３においてバンド部３０が直線状に復帰しようとすることで、バンド部３０の両端部３０Ａ，３０Ｂが両ロック片２６，２６に密着するように作用する。したがって、両係止突起３２，３２と両被係止突起２７，２７の係り代が小さくなることはない。さらに、バンド部３０の両端部３０Ａ，３０Ｂがロック片２６と対向壁２１Ｂとの間に挟持されているため、両係止突起３２，３２と両被係止突起２７，２７の係り代が小さくなることはない。
【００４１】
また、底面側の端部２４Ｂによって小径の電線Ｗ２のかみ込みを軽減することができる。また、ロック片２６を片持ち状に突出して設けたから、バンド部３０の始端側の端部３０Ａを底面側の端部２４Ｂ側からバンド挿入孔Ｈに挿入しやすくなる。さらに、底面側の端部２４Ｂに肉抜き孔２４Ｃを設けたから、両当接部２５，２５にかかる応力を緩和することができる。また、肉抜き孔２４Ｃを設けたことで両バンド挿入孔Ｈ，Ｈの間隔が広くなり、大径の電線Ｗ１とアンカー部２０との間の隙間Ｓが小さくなり、電線Ｗ１を安定して保持することができるとともに電線保持部材１０を低背化することができる。
【００４２】
＜実施形態２＞
次に、本発明の実施形態２を図８の図面を参照しながら説明する。本実施形態における電線保持部材１１は、実施形態１のロック片２６の配置を変更したものであって、その他の構成については実施形態１と重複するため、その説明を省略するものとする。また、実施形態１と同じ構成については実施形態１と同一の符号を用いるものとする。
【００４３】
本実施形態のロック片２８は、取付孔Ｐ１と同じ高さ位置となるように底面側の端部２４Ｂ側に寄せられて配置されており、軸部２１の対向壁２１Ｂが取付孔Ｐ１の内面によって挟まれている。言い換えると、軸部２１の対向壁２１Ｂは、取付孔Ｐ１の内部に配置されている。このため、両ロック片２８，２８の開き変形に伴ってロック片２８がバンド部３０を介して軸部２１の対向壁２１Ｂを外側に押圧する力が作用した場合に、この力を取付孔Ｐ１の内面で直接受けることができる。したがって、軸部２１の変形を確実に規制することができる。
【００４４】
＜実施形態３＞
次に、本発明の実施形態３を図９の図面を参照しながら説明する。本実施形態における電線保持部材１０の取付構造は、実施形態１のボディパネルＰに受け壁Ｐ２を追加したものであって、その他の構成については実施形態１の取付構造と重複するため、その説明を省略するものとする。また、実施形態１と同じ構成については実施形態１と同一の符号を用いるものとする。
【００４５】
受け壁Ｐ２は、取付孔Ｐ１の孔縁部のうち径方向に対向する両対向縁部からそれぞれ立設されている。受け壁Ｐ２は一対設けられ、アンカー部２０の両脚部２２と干渉しないように、軸部２１の対向壁２１Ｂと接触する位置（取付孔Ｐ１における対向する位置）のみに配置されている。このようにすると、両ロック片２８，２８の開き変形に伴ってロック片２８がバンド部３０を介して軸部２１の対向壁２１Ｂを外側に押圧する力が作用した場合に、この力を受け壁Ｐ２で直接受けることができる。したがって、軸部２１の変形を確実に規制することができる。
【００４６】
＜他の実施形態＞
本発明は上記記述及び図面によって説明した実施形態に限定されるものではなく、例えば次のような実施形態も本発明の技術的範囲に含まれる。
（１）上記実施形態ではアンカー部２０の軸部を取付孔Ｐ１に嵌合させることで電線保持部材１０をボディパネルＰに取り付け固定しているものの、本発明によると、アンカー部２０から突片を突出させて形成し、この突片をテープで電線Ｗ１，Ｗ２とともに巻き付けるようにして固定してもよい。
【００４７】
（２）上記実施形態ではバンド部３０の角部３３を当接部２５に当接させているものの、本発明によると、バンド部３０に角部が形成されることなくバンド挿入孔Ｈからバンド部３０が当接部２５に接触することなく直線状に延びるように組み付けてもよい。
【００４８】
（３）上記実施形態ではロック片２６が片持ち状に突出して設けられているものの、本発明によると、ロック片２６を両持ち状に形成してもよい。
【００４９】
（４）上記実施形態では上下二段の係止段部２２Ａ，２２Ｂを設けることで、板厚違いのボディパネルＰに対応可能としているものの、本発明によると、脚部の延出端部に段差形状を設けることなく、脚部を撓ませることで板厚の差を吸収してもよい。
【００５０】
（５）上記実施形態では軸部２１の内部に仕切壁２４を設けているものの、本発明によると、軸部の内部に仕切壁を設けることなく、両ロック片のみを設けてもよい。
【符号の説明】
【００５１】
１０，１１…電線保持部材
２０…アンカー部
２１…軸部
２１Ｂ…対向壁
２２…脚部
２２Ａ…上側係止段部
２２Ｂ…下側係止段部
２４…仕切壁
２５…当接部
２６，２８…ロック片
２７…被係止突起（被係止部）
３０…バンド部
３０Ａ，３０Ｂ…両端部
３２…係止突起（係止部）
３３…角部
Ｈ…バンド挿入孔
Ｐ…ボディパネル（基材）
Ｐ１…取付孔
Ｐ２…受け壁
Ｗ１…大径の電線
Ｗ２…小径の電線
【図１】
2012222987.tif 000003
【図２】
2012222987.tif 000004
【図３】
2012222987.tif 000005
【図４】
2012222987.tif 000006
【図５】
2012222987.tif 000007
【図６】
2012222987.tif 000008
【図７】
2012222987.tif 000009
【図８】
2012222987.tif 000010
【図９】
2012222987.tif 000011